(57)【要約】【課題】揚重機のフックの下げ過ぎにより吊りワイヤのループがフックの鈎部内で上方向に移動した際にループがフックから外れるのを防止することができるようにした吊りワイヤの外れ止め具を提供することである。【解決手段】揚重機のフック１における鈎部３の両側面に磁力による吸着によって取付けられる永久磁石からなる吸着体１１のそれぞれに孔１４を形成し、その孔１４に外れ止めワイヤ１２の両端部を相反する方向から挿通して鈎部３に係合されるループ１５を形成し、その外れ止めワイヤ１２の両端部にカラビナ１３を連結し、そのカラビナ１３をフック１に掛けられた吊りワイヤＷの上端のループＲに係合し、上記ループＲが鈎部３の内部で上方向に移動した際に、その鈎部３から外れるのを防止する。【選択図】図１
2008222365.tif 000002
【特許請求の範囲】
【請求項１】
軸部の下端に鈎部が連設され、その連設部に鈎部の開口を開閉する外れ止めレバーが設けられたフックに吊り対象物を吊り下げ支持する吊りワイヤの端部のループを係合し、そのループがフックの鈎部開口から抜け出るのを防止する吊りワイヤの外れ止め具において、
前記フックにおける鈎部のループ係合位置から軸部側に片寄った位置の側面に吸着される永久磁石からなる吸着体と、その吸着体に一端部が連結された外れ止めワイヤと、その外れ止めワイヤの他端部に連結されて吊りワイヤのループに係脱されるカラビナとからなり、前記鈎部の側面に吸着体を吸着した状態で、外れ止めワイヤとカラビナの長さの総和が吸着体の外れ止めワイヤ連結部位から鈎部の開口までの長さより短くしたことを特徴とする吊りワイヤの外れ止め具。
【請求項２】
軸部の下端に鈎部が連設され、その連設部に鈎部の開口を開閉する外れ止めレバーを設けられたフックに吊り対象物を吊り下げ支持する吊りワイヤの端部のループを係合し、そのループがフックの鈎部開口から抜け出るのを防止する吊りワイヤの外れ止め具において、
前記フックにおける鈎部のループ係合位置から軸部側に片寄った位置の両側面に吸着される永久磁石からなる一対の吸着体と、各吸着体の外周部に形成された孔に両端部が相反する方向から挿通されてフックの鈎部に係合可能なループが形成された外れ止めワイヤと、その外れ止めワイヤの両端部に連結されて吊りワイヤのループに係脱されるカラビナとからなり、前記鈎部の側面に吸着体を吸着し、かつ、外れ止めワイヤのループを鈎部に係合し、そのループが鈎部を締付ける状態で、吸着体の孔からカラビナの先端までの長さを孔から鈎部の開口までの長さより短くしたことを特徴とする吊りワイヤの外れ止め具。
【発明の詳細な説明】
【技術分野】
【０００１】
この発明は、揚重機のフックに掛け吊るされた吊りワイヤがフックから外れ落ちるのを防止する吊りワイヤの外れ止め具に関するものである。
【背景技術】
【０００２】
一般に、地盤に打込まれた土留め用の鋼矢板やＨ形鋼の引抜きに際しては、ワイヤの巻取り、巻き戻しによって昇降動されるフックを備えたクレーン（揚重機）が採用される。
【０００３】
図６は、Ｈ形鋼２０の引抜き状態を示す。そのＨ形鋼２０の引き抜きに際し、Ｈ形鋼２０の上端に形成された孔２１にシャックル２２を取付け、そのシャックル２２に吊りワイヤ２３の一端のループ２４を係合し、吊りワイヤ２３の他端のループ２５を揚重機のフック２６に掛けて、そのフック２６を引き上げるようにしている。
【０００４】
地面上に引き上げられたＨ形鋼２０は、フック２６の下降により地面上に伏倒され、その伏倒状態でフック２６から吊りワイヤ２３のループ２５を取外すようにしているが、上記フック２６の下降によるＨ形鋼２０の伏倒時に、Ｈ形鋼２０が地面に起立する状態とされる場合があり、その状態でフック２６が下降されると、剛性の高い吊りワイヤ２３の上端のループ２５は下降動するフック２６に対して上方に移動するようになり、フック２６とループ２５の相対移動によってループ２５がフック２６から外れる場合がある。
【０００５】
ここで、吊りワイヤ２３の上端のループ２５がフック２６から外れると、フック２６にループ２５を掛けることができず、起立状態のＨ形鋼２０がバランスを崩して転倒する危険がある。
【０００６】
そのような危険を未然に防止するため、フック２６の鈎部２６ａ開口に開閉可能な外れ止めレバー２７を設けたフックが一般に使用されている。上記外れ止めレバー２７はフック２６の軸部２６ｂと鈎部２６ａの連設部に揺動自在に支持され、その揺動中心部に支持されたキックばねにより鈎部２６ａの開口を閉鎖する方向に付勢され、その閉鎖状態で先端と鈎部２６ａの先端部内面間に吊りワイヤ２３のループ２５が通り抜けすることができない程度の間隔が設けられている。
【発明の開示】
【発明が解決しようとする課題】
【０００７】
ところで、揚重機のフック２６はＨ形鋼２０等の重量のある吊り対象物を吊下げて運搬するものであるため、吊り対象物の繰り返しの運搬によって鈎部２６ａが変形し、その鈎部２６ａの先端部内面と外れ止めレバー２７の間隔が次第に大きくなり、吊りワイヤ２３のループ２５が通過し得るまで鈎部２６ａが変形している場合がある。
【０００８】
ここで、フック２６の鈎部２６ａの変形の度合いが知られていない状態でＨ形鋼２０等の吊り対象物の運搬作用が継続されると、その吊り対象物が地面に起立状態からフック２６が下げられた場合に、吊りワイヤ２３の上端のループ２５がフック２６から外れる危険がある。
【０００９】
また、フック２６の鈎部２６ａが変形していない場合であっても、外れ止めレバー２７の先端と鈎部２６ａの先端部内面間の間隔よりも線径の細い吊りワイヤ２３が誤って使用された場合にも、上記と同様に、吊りワイヤ２３の上端のループ２５がフック２６から外れる危険がある。
【００１０】
この発明の課題は、揚重機のフックの下げ過ぎにより吊りワイヤのループがフックの鈎部内で上方向に移動した際にループがフックから外れるのを防止することができるようにした吊りワイヤの外れ止め具を提供することである。
【課題を解決するための手段】
【００１１】
上記の課題を解決するために、第１の発明においては、軸部の下端に鈎部が連設され、その連設部に鈎部の開口を開閉する外れ止めレバーが設けられたフックに吊り対象物を吊り下げ支持する吊りワイヤの端部のループを係合し、そのループがフックの鈎部開口から抜け出るのを防止する吊りワイヤの外れ止め具において、前記フックにおける鈎部のループ係合位置から軸部側に片寄った位置の側面に吸着される永久磁石からなる吸着体と、その吸着体に一端部が連結された外れ止めワイヤと、その外れ止めワイヤの他端部に連結されて吊りワイヤのループに係脱されるカラビナとからなり、前記鈎部の側面に吸着体を吸着した状態で、外れ止めワイヤとカラビナの長さの総和が吸着体の外れ止めワイヤ連結部位から鈎部の開口までの長さより短くした構成を採用したのである。
【００１２】
また、上記の課題を解決するため、第２の発明においては、軸部の下端に鈎部が連設され、その連設部に鈎部の開口を開閉する外れ止めレバーを設けられたフックに吊り対象物を吊り下げ支持する吊りワイヤの端部のループを係合し、そのループがフックの鈎部開口から抜け出るのを防止する吊りワイヤの外れ止め具において、前記フックにおける鈎部のループ係合位置から軸部側に片寄った位置の両側面に吸着される永久磁石からなる一対の吸着体と、各吸着体の外周部に形成された孔に両端部が相反する方向から挿通されてフックの鈎部に係合可能なループが形成された外れ止めワイヤと、その外れ止めワイヤの両端部に連結されて吊りワイヤのループに係脱されるカラビナとからなり、前記鈎部の側面に吸着体を吸着し、かつ、外れ止めワイヤのループを鈎部に係合し、そのループが鈎部を締付ける状態で、吸着体の孔からカラビナの先端までの長さを孔から鈎部の開口までの長さより短くした構成を採用したのである。
【発明の効果】
【００１３】
上記第１の発明のように、フックの鈎部側面に吸着体を吸着した状態で、外れ止めワイヤとカラビナの長さの総和が吸着体の外れ止めワイヤ連結部位から鈎部の開口までの長さより短くしたことにより、フックの下げ過ぎにより吊りワイヤのループがフックの鈎部内で上方向に移動したとしても、吊りワイヤのループは外れ止めレバーの内面に向く方向に移動してフックの鈎部開口から抜け出るようなことはなく、吊り対象物を安全に運搬することができる。
【００１４】
また、第２の発明のように、フックの鈎部の側面に吸着体を吸着し、かつ、ループを鈎部に係合し、そのループが鈎部を締付ける状態で、吸着体の孔からカラビナの先端までの長さを孔から鈎部の開口までの長さより短くしたことにより、フックの下げ過ぎにより吊りワイヤのループがフックの鈎部内で上方向に移動したとしても、第１の発明と同様に、吊りワイヤのループは外れ止めレバーの内面に向く方向に移動してフックの鈎部開口から抜け出るようなことはなく、吊り対象物を安全に運搬することができる。
【００１５】
また、外れ止めワイヤにフックの鈎部に係合されるループを形成したことにより、吊り対象物を運搬しない状態でのフックの移動時に障害物に対する衝突によって吸着体がフックから外れたとしても、その吸着体は鈎部に係合した外れ止めワイヤのループに吊下げ支持されて落下するのが防止され、外れ止め具の落下による怪我の発生を未然に防止することができる。
【発明を実施するための最良の形態】
【００１６】
以下、この発明の実施の形態を図１乃至図５に基づいて説明する。図１および図２はフック１に吊り対象物に連結した吊りワイヤＷの上端のループＲを係合した状態を示す。
【００１７】
ここで、フック１は、軸部２の下端に鈎部３を連設し、その連設部位に鈎部３の開口を開閉する外れ止めレバー４を設けた構成とされている。ここで、外れ止めレバー４は図３に示すピン５を中心にして揺動自在とされ、そのピン５に支持されたキックばね６によって鈎部３の開口を閉鎖する方向に向けて付勢され、その外れ止めレバー４の閉鎖状態でその先端と鈎部３の先端部内面間に間隔Ｓが形成されている。
【００１８】
外れ止めレバー４と鈎部３の先端部内面間に形成された上記間隔Ｓは鈎部３の外方への変形によって大きくなり、必要以上に大きくなると、吊りワイヤＷのループＲを抜止めすることができなくなる。
【００１９】
フック１の鈎部３には、その鈎部３に係合された吊りワイヤＷのループＲが鈎部３内で上方向に移動した際に、鈎部３から抜け出るのを防止する外れ止め具１０が取付けられている。
【００２０】
図５に示すように、外れ止め具１０は、２枚の板状の吸着体１１と、その吸着体１１に連結された外れ止めワイヤ１２と、その外れ止めワイヤ１２の両端部に取付けられたカラビナ１３とからなる。
【００２１】
吸着体１１は永久磁石からなり、磁力による吸着によって図１乃至図４に示すように、フック１における鈎部３の両側面に取付けられる。このとき、吸着体１１は吊りワイヤＷのループＲ係合位置から軸部２に片寄った位置が取付け位置とされ、その外周部には外れ止めワイヤ１２が挿入可能な大きさの孔１４が形成されている。
【００２２】
外れ止めワイヤ１２は、その両端部が吸着体１１のそれぞれに形成された孔１４に対して相反する方向から挿入されて鈎部３に係合可能なループ１５が形成され、その両端部に形成された輪１６にカラビナ１３が取付けられている。
【００２３】
図５に示すように、カラビナ１３は、開閉杆１７を有し、その開閉杆１７を押し込むことにより開口が形成され、その開口の形成状態で吊りワイヤＷのループＲに係脱し得る一般に広く知られているものであるため、詳細は省略している。なお、カラビナ１３はこれに限定されるものではない。
【００２４】
上記の構成からなる外れ止め具１０において、図３に示すように、吸着体１１を鈎部３のループＲ係合位置から軸部２に片寄った位置の両側面に吸着し、フック１の鈎部３に係合した外れ止めワイヤ１２のループ１５によってその鈎部３を締付けた状態において、孔１４からカラビナ１３の先端までの長さは、孔１４から鈎部３の開口までの長さより短くなっている。
【００２５】
このため、図１に示すように、カラビナ１３をフック１の鈎部３に掛け吊るされた吊りワイヤＷのループＲに係合することにより、フック１の下げ過ぎによってループＲが鈎部３内で上方向に移動したとしても、同図の鎖線で示すように、吊りワイヤＷのループＲは外れ止めレバー４の内面に向く方向に移動してフック１の鈎部３開口から抜け出るようなことはない。このため、吊りワイヤＷによって吊下げ支持された吊り対象物を安全に運搬することができる。
【００２６】
また、外れ止めワイヤ１２に形成されたループ１５をフック１の鈎部３に係合しておくことにより、吊り対象物を運搬しない状態でのフック１の移動時に障害物に対する衝突によって吸着体１１がフック１から外れたとしても、その吸着体１１は鈎部３に係合した外れ止めワイヤ１２のループ１５に吊下げ支持されて落下するのが防止される。このため、外れ止め具１０の落下による怪我の発生を未然に防止することができる。
【００２７】
実施の形態では、外れ止め具１０として、２枚の吸着体１１のそれぞれに形成された孔１４に外れ止めワイヤ１２の両端部を相反する方向から挿通してループ１５を形成し、その外れ止めワイヤ１２の両端部にカラビナ１３を連結したものを示したが、鈎部３の側面に吸着される吸着体に外れ止めワイヤの一端部を連結し、その外れ止めワイヤの他端部にカラビナを連結したものであってもよい。
【００２８】
この場合、鈎部３に吸着体を吸着した状態において、吸着体の外れ止めワイヤ連結位置からカラビナの先端までの長さを吸着体の外れ止めワイヤ連結位置から鈎部の開口までの長さより短くなるようにして、カラビナを係合した吊りワイヤＷのループＲが鈎部３の開口から抜け出るのを防止する。
【図面の簡単な説明】
【００２９】
【図１】この発明に係る外れ止め具の使用状態を示す正面図
【図２】図１の縦断側面図
【図３】この発明に係る外れ止め具をフックに取付けた状態を示す一部切欠正面図
【図４】図３のIV−IV線に沿った断面図
【図５】この発明に係る外れ止め具の一部切欠平面図
【図６】（Ｉ）はＨ形鋼の引き上げ状態を示す一部切欠正面図、（II）は側面図
【符号の説明】
【００３０】
Ｗ    吊りワイヤ
Ｒ    ループ
１    フック
２    軸部
３    鈎部
４    外れ止めレバー
１１  吸着体
１２  外れ止めワイヤ
１３  カラビナ
１４  孔
１５  ループ
【図１】
2008222365.tif 000003
【図２】
2008222365.tif 000004
【図３】
2008222365.tif 000005
【図４】
2008222365.tif 000006
【図５】
2008222365.tif 000007
【図６】
2008222365.tif 000008